(57)【特許請求の範囲】
【請求項１】
環状の電磁鋼板を複数枚積層した状態で構成されるステータコアと、前記ステータコアのティースに巻装されるコイルとを備える回転電機のステータであって、
前記ステータコアを構成する電磁鋼板は、周方向に均等に配置された複数の連結部によって互いに連結され、各連結部は、回転電機のロータにおいて周方向に等ピッチで配置され且つ交互に異極性で配置された複数の磁極のうち周方向で１つ置きに配置された同極性の２つの磁極がロータ回転中心に対してなす中心角の整数倍の周方向ピッチで形成されており、
前記ステータコアは、外周面から径方向外側に突出し且つ軸方向に貫通する挿通孔が形成された固定部を周方向に等ピッチで複数有し、
前記連結部の数が奇数であって、前記固定部は、前記ロータ回転中心に対する前記連結部の周方向ピッチと同一の又はその約数に相当する周方向ピッチで形成されている、
回転電機のステータ。
【請求項２】
環状の電磁鋼板を複数枚積層した状態で構成されるステータコアと、前記ステータコアのティースに巻装されるコイルとを備える回転電機のステータであって、
前記ステータコアを構成する電磁鋼板は、周方向に均等に配置された複数の連結部によって互いに連結され、各連結部は、回転電機のロータにおいて周方向に等ピッチで配置され且つ交互に異極性で配置された複数の磁極のうち周方向で１つ置きに配置された同極性の２つの磁極がロータ回転中心に対してなす中心角の整数倍の周方向ピッチで形成されており、
前記ステータコアは、外周面から径方向外側に突出し且つ軸方向に貫通する挿通孔が形成された固定部を周方向に等ピッチで複数有し、
前記連結部の数が偶数であって、前記固定部は、前記ロータ回転中心に対する前記連結部の周方向ピッチの約数または１８０°の約数に相当する周方向ピッチで形成されている、
回転電機のステータ。
【請求項３】
請求項１または２に記載の回転電機のステータにおいて、
前記連結部は前記固定部から周方向にずれた位置に形成されている、回転電機のステータ。
【発明の詳細な説明】
【技術分野】
【０００１】
本発明は、回転電機のステータに関する。
【背景技術】
【０００２】
従来、特許文献１には、固定子鉄心内に生じる渦電流損失を低減するため、固定子鉄心を構成する電磁鋼板の結束部位を、固定子鉄心の周方向に等間隔で、且つ隣り合う結束部位間の中心角が組み合わせる回転子の２磁極分のなす中心角の整数倍となるように配置することが記載されている。
【先行技術文献】
【特許文献】
【０００３】
【特許文献１】特開２００７−２３６０６７号公報
【発明の概要】
【発明が解決しようとする課題】
【０００４】
ところで、環状の電磁鋼板を軸方向に積層してステータコアが構成されているステータでは、ステータコアの積厚を周方向で均等にしてステータコアの幾何公差（直角度、真直度等）を確保するため、環状の電磁鋼板を周方向に回転させて積層していくことがある。これを転積という。
【０００５】
上記環状の電磁鋼板が外周部に径方向外側へ膨出した固定部形成部分を有し、この固定部形成部分が軸方向に積層されてステータコアの外周面に固定部が形成される場合がある。このようなステータコアを含むステータは、固定部に形成されている貫通孔にボルト等の締結部材を挿通して回転電機を収容するケースに締結固定される。
【０００６】
このように固定部でケースに固定されるステータでは、ステータコアにおける固定部の位置を工夫しないと、上記特許文献１に記載される構成によって渦電流損失を低減し且つ環状の電磁鋼板を転積して幾何公差を確保することができない。
【０００７】
本発明の目的は、渦電流損失を抑制するとともに、転積によって幾何公差を確保することができる回転電機のステータを提供することである。
【課題を解決するための手段】
【０００８】
本発明の一態様である回転電機のステータは、環状の電磁鋼板を複数積層した状態で構成されるステータコアと、前記ステータコアのティースに巻装されるコイルとを備える回転電機のステータであって、前記ステータコアを構成する電磁鋼板は、周方向に均等に配置された複数の連結部によって互いに連結され、各連結部は、回転電機のロータにおいて周方向に等ピッチで配置され且つ交互に異極性で配置された複数の磁極のうち周方向で１つ置きに配置された同極性の２つの磁極がロータ回転中心に対してなす中心角の整数倍の周方向ピッチで形成されており、前記ステータコアは、外周面から径方向外側に突出し且つ軸方向に貫通する挿通孔が形成された固定部を周方向に等ピッチで複数有し、前記連結部の数が奇数であって、前記固定部は、前記ロータ回転中心に対する前記連結部の周方向ピッチと同一か又はその約数に相当する周方向ピッチで形成されている。
【０００９】
また、本発明の別の態様である回転電機のステータは、環状の電磁鋼板を複数枚積層した状態で構成されるステータコアと、前記ステータコアのティースに巻装されるコイルとを備える回転電機のステータであって、前記ステータコアを構成する電磁鋼板は、周方向に均等に配置された複数の連結部によって互いに連結され、各連結部は、回転電機のロータにおいて周方向に等ピッチで配置され且つ交互に異極性で配置された複数の磁極のうち周方向で１つ置きに配置された同極性の２つの磁極がロータ回転中心に対してなす中心角の整数倍のピッチで形成されており、前記ステータコアは、外周面から径方向外側に突出し且つ軸方向に貫通する挿通孔が形成された固定部を周方向に等ピッチで複数有し、前記連結部の数が偶数であって、前記固定部は、前記ロータ回転中心に対する前記連結部の周方向ピッチまたは１８０°の約数に相当する周方向ピッチで形成されている。
【００１０】
本発明に係る回転電機のステータにおいて、前記連結部は前記固定部から周方向にずれた位置に形成されているのが好ましい。
【発明の効果】
【００１１】
本発明に係る回転電機のステータによれば、ロータの２磁極分の中心角の整数倍の周方向ピッチで形成された連結部同士で連結されることで、ステータにおける各連結部間での磁束分布がロータ回転位置に拘わらず同じになり、その結果、積層された電磁鋼板間に連結部を介して渦電流が流れにくくなり、渦電流損失の発生を抑制できる。
また、環状の電磁鋼板を転積してステータコアを構成する場合、各電磁鋼板において連結部の位置が軸方向に揃うとともにステータコアの固定部の位置が軸方向に揃う。その結果、電磁鋼板の転積によってステータコアの幾何公差を確保することができる。
【図面の簡単な説明】
【００１２】
【図１】本発明の第１実施形態のステータを含む回転電機の軸方向に沿った断面図である。
【図２】第１実施形態のステータを軸方向から見た概略図である。
【図３】第２実施形態のステータを軸方向から見た概略図である。
【発明を実施するための形態】
【００１３】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１４】
（第１実施形態）
図１は、本発明の第１実施形態であるステータ１０を含む回転電機の軸方向に沿った断面図である。図２は、第１実施形態のステータ１０を軸方向から見た概略図である。図１には、ロータ回転中心Ｏに沿った軸方向が矢印Ｅで示され、ロータ回転中心Ｏに直交する径方向が矢印Ｒで示されている。また、図２には、ロータ回転中心Ｏに直交する平面上に描かれる円に沿った周方向が矢印Ｃで示される。図２では、ステータコイルとロータコアの図示が省略されている。
【００１５】
図１に示すように、回転電機１は、ステータ１０と、ロータ１２とを備える。回転電機１は、ケース２内に収容されている。ケース２は、軸方向一端が底部２ａによって閉じられ、軸方向他端側が開口している。ケース２の開口は、蓋部材３によって閉じられている。
【００１６】
図１および図２に示すように、ロータ１２は、ロータコア１４を含む。ロータコア１４は、例えばプレスにより打ち抜いて形成された円盤状の電磁鋼板１６を軸方向に積層した状態で構成されている。ロータコア１４を構成する各電磁鋼板１６は、例えば、かしめ、溶接等の手法によって互いに連結されて一体化されている。
【００１７】
ロータコア１４の中心部には、ロータシャフト１８が軸方向に貫通して固定されている。ロータコア１４は、かしめ、焼嵌め、ナット締結等の手法によってロータシャフト１８に固定することができる。ロータシャフト１８の軸方向一端部は、ケース２の底部２ａに取り付けた軸受部材２０ａによって回転可能に支持される。また、ロータシャフト１８の軸方向の他端部側は、蓋部材３に取り付けた軸受部材２０ｂによって回転可能に支持されている。これにより、ロータ１２は、軸受部材２０ａ，２０ｂによって、ケース２に固定された筒状のステータ１０の内周側に回転可能に支持されている。ロータシャフト１８の軸方向他端部には、回転電機１に対して動力を入出力するためのギヤ（図示せず）が設けられている。
【００１８】
ロータ１２は、略円柱状をなすロータコア１４の外周面上に複数の永久磁石２２を有する。各永久磁石２２は、径方向外側部分がＮ極、Ｓ極に周方向で交互に着磁されている。各永久磁石２２によって、ロータ１２の磁極がそれぞれ構成されている。永久磁石２２は、ロータコア１４の周方向に等ピッチで固定配置されている。具体的には、周方向に隣り合う２つの永久磁石２２は、ロータ１２の回転中心Ｏに対する中心角がα／２（°）をなす位置に配置されている。ロータ１２において各永久磁石２２が磁極を構成している。以下においては、適宜に磁極２２という。
【００１９】
本実施形態では、ロータ１２は例えば１０個の磁極２２を含む。したがって、本実施形態では、周方向に隣り合う磁極２２間のロータ回転中心Ｏに対する中心角度α／２は３６°に設定され、周方向に隣り合う同極性（例えば、Ｎ極）の２つの磁極がなす中心角αが７２°に設定されている。この中心角αは、２磁極分のなす中心角ともいえる。
【００２０】
なお、本実施形態では、１つの永久磁石で１つの磁極を構成する場合について説明したが、複数の永久磁石で１つの磁極が構成されてもよい。また、磁極を構成する永久磁石は、ロータコア１４の外周面近傍の内部に埋設されてもよい。
【００２１】
次に、本実施形態のステータ１０について説明する。図１および図２を参照すると、ステータ１０は、ステータコア２４と、ステータコイル２６とを備える。ステータコア２４は、例えばプレス加工により打ち抜き形成された円環状の電磁鋼板２７を軸方向に積層し、複数のかしめ部（連結部）２５で互いに連結されて一体をなしている。
【００２２】
ステータコア２４は、円環状のヨーク２８と、ヨーク２８の内周縁から径方向内側へ突出し且つ周方向に均等に配置された複数のティース３０とを有する。周方向に隣り合うティース３０間には、軸方向に貫通する溝状のスロット３２が形成されている。本実施形態では、ティース３０およびスロット３２が１５個ずつ形成されている例が示される。したがって、本実施形態では、ティース３０およびスロット３２の形成ピッチが２４°になっている。
【００２３】
ステータコイル２６は、例えば絶縁被覆された銅線をティース３０の周囲に巻装して構成される。ステータコイル２６は、スロット３２内に位置する部分２６ａと、ステータコア２４の軸方向両側に突出したコイルエンド部２６ｂとを含む。本実施形態では、ステータコイル２６は、集中巻の方式で各ティース３０に巻装されている。すなわち、１つのティース３２の周囲に１つのコイル部分がそれぞれ巻装され、各コイル部分をバスバー等によって電気的に接続することによってステータコイル２６が形成される。
【００２４】
回転電機１は、例えば三相同期型モータである。この場合、ステータコイル２６は、Ｕ相コイル、Ｖ相コイル、Ｗ相コイルで構成される。具体的に本実施形態のステータ１０では、Ｕ相コイルを構成する５個のＵ相コイル部分が２つ置きごとのティース３０にそれぞれ巻装され、Ｖ相コイルを構成する５個のＶ相コイル部分がＵ相コイル部分と周方向に隣り合うティース３０にそれぞれ巻装され、Ｗ相コイルを構成する５個のＷ相コイル部分が残りのティース３０にそれぞれ巻装されている。
【００２５】
上述したように、ステータコア２４を構成する各電磁鋼板２７は、ヨーク２８に形成されたかしめ部２５で互いに連結されている。かしめ部２５は、各電磁鋼板の一方表面が凹状で他方表面が凸状に形成された凹み部であり、電磁鋼板同士をかしめ部２５で凹凸嵌合させることによって連結されている。加えて、各電磁鋼板は、外周面の一部において軸方向に沿った線状に溶接されることによって強固に連結されてもよい。
【００２６】
かしめ部２５は、ステータコア２４のヨーク２８に、複数のかしめ部２５が周方向に等ピッチで設けられている。具体的には、本実施形態のステータ１０では、５個のかしめ部２５が３６０°／５個＝７２°の周方向ピッチβで形成されている。このように本実施形態では、かしめ部２５の周方向ピッチβが、ロータ１２において周方向に隣り合う同極性の２つの磁極２２の中心角α＝７２°の整数倍（すなわち１倍に）設定されている。別の例として、ロータ１２において同極性の２つの磁極２２の上記中心角αが例えば３６°（磁極数は２０個）である場合、かしめ部２５の周方向ピッチβを上記中心角αの２倍（すなわち２×３６°＝７２°）とすることができる。さらに別の例として、ロータ１２において同極性の２つの磁極２２の中心角αが例えば２４°（磁極数は３０個）である場合、かしめ部２５の周方向ピッチβを上記中心角αの３倍（すなわち３×２４°＝７２°）とすることができる。
【００２７】
図２に示すように、かしめ部２５は、後述する固定部４０から周方向にずれた位置に形成されるのが好ましい。換言すれば、かしめ部２５と固定部４０の周方向位置が揃わないように設定するのが良い。そうすれば、かしめ部２５をプレスにより押込み形成する際に、固定部４０の挿通孔４２に歪みが生じるのを防止することができる。
【００２８】
ステータコア２４は、円柱状の外周面から径方向外側に突出する固定部４０を有する。固定部４０は、軸方向から見て頂角部が丸くなった略三角状に形成されている。また、固定部４０には、挿通孔４２が軸方向に貫通して形成されている。このような挿通孔４２が形成された固定部４０は、各電磁鋼板２７に形成されている略三角状の固定部形成部分４１が軸方向に積層されて構成されている。図１に示すように、固定部４０の挿通孔４２にボルト４４を軸方向一方側から挿入し、軸方向他方側に突出したボルト等の締結部材４４の先端部をケース２の底部２ａに形成された雌ねじ孔４に締め込む。これにより、ステータ１０がケース２に締結固定される。
【００２９】
ステータコア２４の固定部４０は、ステータコア２４の周方向に等ピッチで複数設けられている。本実施形態では、５個の固定部４０が形成されている例を示す。この場合、固定部４０の周方向ピッチγは、かしめ部２５の場合と同様に、３６０°／５個＝７２°になっている。
【００３０】
本実施形態のように周方向に等ピッチで設けられたかしめ部２５の数が奇数である場合、固定部４０の周方向ピッチγは、ロータ回転中心Ｏに対するかしめ部２５の周方向ピッチβの約数に設定される。すなわち、ｎ（＝１、２、３・・・）を整数とすると、γ＝β／ｎで表すことができる。具体的には、本実施形態の場合、固定部４０の周方向ピッチγがかしめ部２５の周方向ピッチβと等しく設定され、ｎ＝１の場合に相当する。これに限定されるものではなく、ｎ＝２とした場合に固定部４０をかしめ部２５の半分の周方向ピッチで２倍の数（例えば、１０個）としてもよいし、ｎ＝３とした場合に固定部４０をかしめ部２５の３分の１の周方向ピッチで３倍の数（例えば、１５個）としてもよい。
【００３１】
あるいは、かしめ部２５の数が例えば３個等の奇数である場合、固定部４０の周方向ピッチγは、ロータ回転中心Ｏに対するかしめ部２５の周方向ピッチβと同一に設定されてもよい。すなわち、γ＝βとなり、本実施形態はこの場合に相当する。
【００３２】
続いて、上記の構成からなる回転電機１のステータ１０における作用について説明する。
【００３３】
図２中に点線で示すように、ロータ１２のＮ極の磁極２２から出た磁束は、ステータ１０のティース３０の先端部からヨーク２８の内周側縁部近傍を通って、周方向に隣り合う別のティース３０からロータ１２のＳ極の磁極２２に流れる。
【００３４】
ステータコア２４を構成する各電磁鋼板２７は、表裏面に例えば絶縁コーティングまたは絶縁皮膜を有するため、軸方向に隣り合う電磁鋼板同士が電気的に導通しないように構成されている。これにより、電磁鋼板のそれぞれについては、内部において閉ループ状の電流経路が形成されることはない。したがって、ステータ１０がロータ１２と組み合されて回転電機１として動作したとき、ロータ回転時の鎖交磁束変化によって生じる渦電流損失を抑制することができる。
【００３５】
しかし、本実施形態のステータ１０のように、電磁鋼板同士をかしめ部２５で凹凸嵌合させて連結する場合、かしめ部２５のプレス形成時に表裏面の絶縁コーティング等が削り取られることがある。その場合、軸方向に積層された複数の電磁鋼板２７同士がかしめ部２５を介して電気的に導通することになり、周方向に隣り合う２つのかしめ部２５の間に位置するヨーク２８と上記２つのかしめ部２５とによって閉ループ状の電流経路が形成され、その結果、回転電機１として動作したときの渦電流損失が増大することがある。
【００３６】
この問題に対して、本実施形態のステータ１０では、かしめ部２５の周方向ピッチβを、ロータ１２の同極性の２つの磁極２２がロータ回転中心Ｏに対してなす中心角αの整数倍に設定している。これにより、図２に示すように、ステータコア２４内を点線で示すように磁束によってかしめ部２５の周囲には、時計回り方向の実線矢印で示すような鎖交磁束変化が生じる。その結果、右ねじの法則にしたがって、かしめ部２５には○内に×を表したマークで示すように図２の紙面の手前側から奥側へ電流が流れるように起電力が生じることになる。これは、全てのかしめ部２５についても同様である。すなわち、本実施形態のステータ１０では同極性の２つの磁極２２の中心角に相当する周方向ピッチでかしめ部２５が形成されているため、全てのかしめ部２５に電流が同一方向に流れるような起電力が生じる。このことは、ロータ１２が回転してステータ１０に対して磁極２２の位置が変化しても、各かしめ部２５間にそれぞれ位置するステータコア２４のヨーク２８における磁束分布は同じになるから、各かしめ部２５に生じる電流の流れ方向は手前側から奥側、または、奥側から手前側のいずれかで同一方向になる。したがって、かしめ部２５を介して複数の電磁鋼板間で閉ループ状の電流経路にロータ１２の磁極２２からの磁束が鎖交してもかしめ部２５を介して渦電流が大きな閉ループ電流経路で流れ難くすることができる。その結果、ステータ１０における渦電流損失の発生を抑制することができる。
【００３７】
また、本実施形態のステータ１０では、固定部４０の周方向ピッチγがかしめ部２５の周方向ピッチβの整数分の１、または、同一に設定されているため、各電磁鋼板を積層する際に１枚ずつ又は所定枚数ずつを周方向一方側に所定角度（例えば、７２°）ずつ回転させた状態で転積した場合に、電磁鋼板２７の固定部形成部分４１が軸方向に揃って固定部４０を構成することができる。ここで、電磁鋼板２７を転積する際の所定角度は、上記γと上記βの大きい方の角度又はその倍数に設定することができる。このように電磁鋼板２７を転積してステータコア２４を構成することで、ステータコア２４の積厚Ｌを周方向に亘って均一にすることができ、ステータコア２４の幾何公差（真直度、直角度等）を確保することができる。
【００３８】
（第２実施形態）
次に、図３を参照して、第２実施形態のステータ１０Ａについて説明する。図３は、第２実施形態のステータ１０Ａを軸方向から見た概略図である。図３では、ロータコア１４およびステータコイル２６の図示が省略されている。以下では、上述した第１実施形態のステータ１０と同一または類似の構成要素には同一または類似の参照符号を付して、繰り返しとなる説明を省略する。
【００３９】
図３に示すように、本実施形態のステータ１０Ａを含む回転電機１Ａは、ステータ１０Ａと、ロータ１２Ａとを備える。ロータ１２Ａは外周面に複数の磁極２２を周方向に均等配置で有している。具体的には、ロータ１２Ａには、例えば８個の磁極２２が９０°の周方向ピッチで設けられている。各磁極２２は、径方向外側の極性がＮ極とＳ極とに着磁された永久磁石が周方向に交互に配置されて構成される。したがって、本実施形態における回転電機１Ａでは、ロータ１２Ａの磁極２２に関して、周方向に隣り合う同極性（例えば、Ｎ極）の２つの磁極２２がロータ回転中心Ｏに対してなす中心角αが４５°に設定されている。
【００４０】
本実施形態のステータ１０Ａは、ステータコア２４Ａと、ステータコイル２６（図１参照）とを備える。ステータコア２４Ａは、円環状のヨーク２８と、ヨーク２８の内周縁部から径方向内側に突出する複数のティース３０とを有し、各ティース３０間にはスロット３２が形成されている。
【００４１】
本実施形態のステータ１０Ａでは、ティース３０およびスロット３２が４８個ずつ形成されている。そして、ステータコイル２６は、集中巻の方式で複数のティース３０に跨って巻装される。この場合、４８個のスロット３２のうち、２つ置きごとの１６個のスロット３２はＵ相コイルが挿入配置されるＵ相コイル用スロットであり、これらのＵ相コイル用スロット３２に対して周方向一方側にそれぞれ隣り合う１６個のスロット３２はＶ相コイルが挿入配置されるＶ相コイル用スロットであり、残りの１６個のスロット３２はＷ相コイルが挿入配置されるＷ相コイル用スロットである。
【００４２】
ステータコア２４Ａは、環状をなす電磁鋼板２７が軸方向に複数積層されて構成される。各電磁鋼板２７は、周方向に等ピッチβで設けられたかしめ部２５の凹凸嵌合によって、互いに連結されて一体になっている。ここで、本実施形態のステータ１０Ａでは、かしめ部２５の数が偶数に設定されている。具体的には、ステータコア２４は４個のかしめ部２５を有する例が示される。すなわち、かしめ部２５の周方向ピッチβは、上記中心角αと同一の９０°に設定されている。
【００４３】
また、ステータコア２４Ａは、円柱状の外周面から径方向外側に突出する固定部４０を有する。固定部４０には、挿通孔４２が軸方向に貫通して形成されている。この固定部４０の挿通孔４２にボルト４４を軸方向一方側から挿入し、軸方向他方側に突出したボルト等の締結部材４４の先端部をケース２の底部２ａに形成された雌ねじ孔４に締め込むことにより、ステータ１０Ａがケース２に締結固定される（図１参照）。
【００４４】
ステータコア２４の固定部４０は、ステータコア２４の周方向に等ピッチで複数設けられている。本実施形態では、４個の固定部４０が形成されている例を示す。この場合、固定部４０の周方向ピッチγは、かしめ部２５の場合と同様に、９０°になっている。
【００４５】
本実施形態のように周方向に等ピッチで設けられたかしめ部２５の数が偶数である場合、固定部４０の周方向ピッチγを、ロータ回転中心Ｏに対するかしめ部２５の周方向ピッチβの約数に設定することができる。すなわち、ｎ（＝１、２、３・・・）を整数とすると、γ＝β／ｎで表すことができる。具体的には、本実施形態の場合、固定部４０の周方向ピッチγがかしめ部２５の周方向ピッチβと等しく設定され、ｎ＝１の場合に相当する。これに限定されるものではなく、ｎ＝２とした場合に固定部４０をかしめ部２５の半分の周方向ピッチで２倍の数（例えば、８個）としてもよいし、ｎ＝３とした場合に固定部４０をかしめ部２５の３分の１の周方向ピッチで３倍の数（例えば、１２個）としてもよい。
【００４６】
あるいは、かしめ部２５の数が例えば４個、６個、８個等の偶数である場合、固定部４０の周方向ピッチγは１８０°の約数に設定されてもよい。この場合、ｎ（＝１、２、３・・・）を整数とすると、γ＝１８０°／ｎで表すことができる。例えば、ｎ＝１の場合、固定部４０は周方向ピッチγが１８０°の２個となり、ｎ＝２の場合、固定部４０は周方向ピッチγが９０°となって本実施形態のように４個となり、ｎ＝３の場合、固定部４０は周方向ピッチγが６０°となって６個になる。ここで、固定部４０を周方向ピッチγ＝６０°で６個とする場合、ロータ１２Ａにおける同極性の２つの磁極２２の中心角αを例えば６０°（すなわち磁極数１２個）に設定し、かしめ部２５の周方向ピッチβを例えば６０°または１２０°に設定することができる。なお、ケース２に対するステータ１０Ａの締結固定をより安定かつ確実に行うために、固定部４０の数は３個以上であることが好ましい。
【００４７】
続いて、上記の構成からなる本実施形態のステータ１０Ａの作用について説明する。ステータ１０Ａにおいても、かしめ部２５の周方向ピッチβが、ロータ１２Ａの同極性の２つの磁極２２がロータ回転中心Ｏに対してなす中心角αの整数倍に設定されていることで、上記第１実施形態のステータ１０と同様に渦電流がかしめ部２５を介して複数の電磁鋼板に亘って流れるのを防止することができ、その結果、渦電流損失の発生を抑制することができる。
【００４８】
また、本実施形態のステータ１０Ａでは、固定部４０の周方向ピッチγがかしめ部２５の周方向ピッチβの約数または１８０°の約数に設定されているため、電磁鋼板を転積してステータコア２４Ａを構成することができる。したがって、ステータコア２４Ａの積厚Ｌを周方向に亘って均一にすることができ、ステータコア２４の幾何公差（真直度、直角度等）を確保することができる。
【００４９】
なお、本発明は、上記実施形態およびその変形例に限定されるものではなく、本願の特許請求の範囲に記載された事項およびその均等な範囲において種々の改良や変更が可能である。
【００５０】
例えば、上記においては、凹凸嵌合するかしめ部２５によって各電磁鋼板を連結する連結部を構成した例について説明したが、これに限定されるものではない。各電磁鋼板に形成された貫通孔にパイプ、中実棒、リベット、板材等の細長い部材を挿入または圧入して、各電磁鋼板を互いに連結する連結部を構成してもよい。
【符号の説明】
【００５１】
１，１Ａ  回転電機，２  ケース、２ａ  底部、３  蓋部材、４  雌ねじ孔、１０，１０Ａ  ステータ、１２，１２Ａ  ロータ、１４  ロータコア、１６，２７  電磁鋼板、１８  ロータシャフト、２０ａ，２０ｂ  軸受部材、２２  永久磁石または磁極、２４，２４Ａ  ステータコア、２５  かしめ部（連結部）、２６  ステータコイル、２６ａ（ステータコイルの）部分、２６ｂ  コイルエンド部、２８  ヨーク、３０  ティース、３２  スロット、４０  固定部、４１  固定部形成部分、４２  挿通孔、４４  ボルト、Ｌ  積厚、Ｏ  ロータ回転中心、α  中心角、β，γ  周方向ピッチ。
【図１】
0006380310.tif 000002
【図２】
0006380310.tif 000003
【図３】
0006380310.tif 000004